(57)【特許請求の範囲】
【請求項１】
水栓本体および該水栓本体の吐水口から吐出される水についての操作を行うための操作部が取り付けられ所定の壁面に対して固定されるパネル部と、前記吐水口から吐出される水を受ける洗面ボールを形成するとともに前記洗面ボールに対する前記壁面側の部分にて前記壁面に略平行に上向きに突出する壁状の部分であるバックガードを有し該バックガードの上側に前記パネル部を設置させる洗面器と、前記パネル部の上側に配置され鏡およびキャビネットの少なくともいずれかを有する上部筐体と、を備える壁付き水栓であって、
前記パネル部は、前記壁面に固定される位置にある状態で、前記洗面器および前記上部筐体に対して、前記バックガードおよび前記上部筐体のそれぞれにおける前記壁面側にオーバーラップする部分を有しないように構成されており、
前記水栓本体は、前記吐水口を形成する部分が前記吐水口に対して連通接続される給水用のホースを介して引出し可能に構成されるものであり、
さらに、前記パネル部は、前記壁面に垂直な方向である奥手前方向の奥側に開口し前記ホースが配される空間を形成するとともに、前記空間の開口の少なくとも前記水栓本体が設けられる部分を前記空間の開口において上下に架け渡された態様で覆う板状の部材であるホースカバーを有することを特徴とする壁付き水栓。
【請求項２】
前記パネル部は、前記壁面側における前記水栓本体および前記操作部よりも下方の位置に、少なくとも鉛直方向に見て前記水栓本体および前記操作部が設けられる範囲をカバーするトレイ状の部分である囲い部を有し、
前記囲い部は、前記奥手前方向の手前側にかけて下る斜面として形成される底面と、該底面の周囲を囲む周壁面と、前記底面の傾斜方向下側に設けられ前記底面に開口するとともに前記底面上の空間を前記洗面ボールに対して連通させる孔部である水抜き孔とを有することを特徴とする請求項１に記載の壁付き水栓。
【請求項３】
水栓本体および該水栓本体の吐水口から吐出される水についての操作を行うための操作部が取り付けられ所定の壁面に対して固定されるパネル部と、前記吐水口から吐出される水を受ける洗面ボールを形成するとともに前記洗面ボールに対する前記壁面側の部分にて前記壁面に略平行に上向きに突出する壁状の部分であるバックガードを有し該バックガードの上側に前記パネル部を設置させる洗面器と、前記パネル部の上側に配置され鏡およびキャビネットの少なくともいずれかを有する上部筐体と、を備える壁付き水栓であって、
前記パネル部は、前記壁面に固定される位置にある状態で、前記洗面器および前記上部筐体に対して、前記バックガードおよび前記上部筐体のそれぞれにおける前記壁面側にオーバーラップする部分を有しないように構成されており、
前記水栓本体は、前記吐水口を形成する部分が前記吐水口に対して連通接続される給水用のホースを介して引出し可能に構成されるものであり、
さらに、前記パネル部は、前記壁面に垂直な方向である奥手前方向の奥側に開口し前記ホースが配される空間を形成するとともに、前記空間の開口の少なくとも前記水栓本体が設けられる部分を覆う板状の部材であるホースカバーと、前記壁面側における前記水栓本体および前記操作部よりも下方の位置に設けられ、少なくとも鉛直方向に見て前記水栓本体および前記操作部が設けられる範囲をカバーするトレイ状の部分である囲い部とを有し、
前記囲い部は、前記奥手前方向の手前側にかけて下る斜面として形成される底面と、該底面の周囲を囲む周壁面と、前記底面の傾斜方向下側に設けられ前記底面に開口するとともに前記囲い部の内部空間を前記洗面ボールに対して連通させる孔部である水抜き孔とを有し、
前記ホースカバーの前記奥手前方向の手前側の面の少なくとも下端の部分が、前記周壁面に対して前記奥手前方向の手前側に位置することを特徴とする壁付き水栓。
【請求項４】
前記パネル部は、前記奥手前方向の手前側に、該手前側より前記奥手前方向の奥側にかけて下る斜面を形成するとともに前記斜面により前記奥手前方向の寸法を他の部分よりも大きくする傾斜部を有し、
前記水栓本体は、前記斜面から突出するように設けられ、
前記パネル部を前記壁面に対して固定するための固定部が、前記傾斜部における、前記水栓本体および前記操作部に対して前記壁面に平行な水平方向について外側の位置に設けられていることを特徴とする請求項１〜３のいずれか一項に記載の壁付き水栓。
【請求項５】
前記固定部は、前記壁面に対する前記パネル部の固定を、前記傾斜部が有する前記斜面に対して前記奥手前方向の奥側の位置から行うために、前記傾斜部が有する前記斜面に開口する空間部を形成するものであり、
前記空間部は、前記傾斜部が有する前記斜面に対して開口する側から、キャップ状の部材により塞がれることを特徴とする請求項４に記載の壁付き水栓。
【請求項６】
水栓本体および該水栓本体の吐水口から吐出される水についての操作を行うための操作部が取り付けられ所定の壁面に対して固定されるパネル部と、前記吐水口から吐出される水を受ける洗面ボールを形成するとともに前記洗面ボールに対する前記壁面側の部分にて前記壁面に略平行に上向きに突出する壁状の部分であるバックガードを有し該バックガードの上側に前記パネル部を設置させる洗面器と、前記パネル部の上側に配置され鏡およびキャビネットの少なくともいずれかを有する上部筐体と、を備える壁付き水栓であって、
前記パネル部は、前記壁面に固定される位置にある状態で、前記洗面器および前記上部筐体に対して、前記バックガードおよび前記上部筐体のそれぞれにおける前記壁面側にオーバーラップする部分を有しないように構成されており、
さらに、前記パネル部は、前記壁面に垂直な方向である奥手前方向の手前側に、該手前側より前記奥手前方向の奥側にかけて下る斜面を形成するとともに前記斜面により前記奥手前方向の寸法を他の部分よりも大きくする傾斜部を有し、
前記水栓本体は、前記斜面から突出するように設けられ、
前記パネル部を前記壁面に対して固定するための固定部が、前記傾斜部における、前記水栓本体および前記操作部に対して前記壁面に平行な水平方向について外側の位置に設けられており、
前記固定部は、前記壁面に対する前記パネル部の固定を、前記傾斜部が有する前記斜面に対して前記奥手前方向の奥側の位置から行うために、前記傾斜部が有する前記斜面に開口する空間部を形成するものであり、
前記空間部は、前記傾斜部が有する前記斜面に対して開口する側から、キャップ状の部材により塞がれることを特徴とする壁付き水栓。
【請求項７】
前記パネル部は、前記壁面側における前記水栓本体および前記操作部よりも下方の位置に、少なくとも鉛直方向に見て前記水栓本体および前記操作部が設けられる範囲をカバーするトレイ状の部分である囲い部を有し、
前記囲い部は、前記奥手前方向の手前側にかけて下る斜面として形成される底面と、該底面の周囲を囲む周壁面と、前記底面の傾斜方向下側に設けられ前記底面に開口するとともに前記底面上の空間を前記洗面ボールに対して連通させる孔部である水抜き孔とを有することを特徴とする請求項６に記載の壁付き水栓。
【請求項８】
前記パネル部は、前記奥手前方向の手前側の面の下端における前記壁面に平行な水平方向の中間部に、前記奥手前方向の手前側から奥側にかけて下る傾斜面を形成するとともに、前記パネル部の前記奥手前方向の手前側の面および下側の面に対する凹部を形成する傾斜凹部を有することを特徴とする請求項１〜７のいずれか一項に記載の壁付き水栓。
【請求項９】
水栓本体および該水栓本体の吐水口から吐出される水についての操作を行うための操作部が取り付けられ所定の壁面に対して固定されるパネル部と、前記吐水口から吐出される水を受ける洗面ボールを形成するとともに前記洗面ボールに対する前記壁面側の部分にて前記壁面に略平行に上向きに突出する壁状の部分であるバックガードを有し該バックガードの上側に前記パネル部を設置させる洗面器と、前記パネル部の上側に配置され鏡およびキャビネットの少なくともいずれかを有する上部筐体と、を備える壁付き水栓であって、
前記パネル部は、前記壁面に固定される位置にある状態で、前記洗面器および前記上部筐体に対して、前記バックガードおよび前記上部筐体のそれぞれにおける前記壁面側にオーバーラップする部分を有しないように構成されており、
さらに、前記パネル部は、前記壁面に垂直な方向である奥手前方向の手前側の面の下端における前記壁面に平行な水平方向の中間部に、前記奥手前方向の手前側から奥側にかけて下る傾斜面を形成するとともに、前記パネル部の前記奥手前方向の手前側の面および下側の面に対する凹部を形成する傾斜凹部を有することを特徴とする壁付き水栓。
【請求項１０】
前記パネル部は、前記奥手前方向の手前側に、該手前側より前記奥手前方向の奥側にかけて下る斜面を形成するとともに前記斜面により前記奥手前方向の寸法を他の部分よりも大きくする傾斜部を有し、
前記水栓本体は、前記斜面から突出するように設けられ、
前記パネル部を前記壁面に対して固定するための固定部が、前記傾斜部における、前記水栓本体および前記操作部に対して前記壁面に平行な水平方向について外側の位置に設けられていることを特徴とする請求項９に記載の壁付き水栓。
【請求項１１】
前記パネル部は、前記壁面側における前記水栓本体および前記操作部よりも下方の位置に、少なくとも鉛直方向に見て前記水栓本体および前記操作部が設けられる範囲をカバーするトレイ状の部分である囲い部を有し、
前記囲い部は、前記奥手前方向の手前側にかけて下る斜面として形成される底面と、該底面の周囲を囲む周壁面と、前記底面の傾斜方向下側に設けられ前記底面に開口するとともに前記底面上の空間を前記洗面ボールに対して連通させる孔部である水抜き孔とを有することを特徴とする請求項９または請求項１０に記載の壁付き水栓。
【発明の詳細な説明】
【技術分野】
【０００１】
本発明は、壁に固定されるパネル部に水栓が取り付けられるタイプの洗面台である壁付き水栓に関する。
【背景技術】
【０００２】
従来、洗面化粧台のタイプとして、例えば洗面器のカウンタ等の設置面に水栓（水栓本体）が設置される台付き水栓がある。台付き水栓においては、水栓の設置形態上、上向きの面である設置面の水栓周りに水が溜まりやすい。このため、台付き水栓は、設置面上に溜まる水を原因として、水垢やカビを生じさせやすい環境を作ってしまう。そこで、近年、清潔志向の高まりや洗面行為のしやすさ等から、洗面化粧台の水栓の設置形態は、洗面器のカウンタ等の設置面に水栓が設置される台付きのタイプから、壁に固定されるパネル部に水栓が取り付けられる壁付きのタイプにシフトしている。
【０００３】
水栓の設置形態が壁付きのタイプである壁付き水栓には、壁に固定されるとともに水栓が取り付けられる部分であるパネル部が洗面器のバックガードに設置された状態で壁に固定される構成を備えるものがある（例えば、特許文献１参照。）。具体的には、壁付き水栓においては、床面に据え付けられるキャビネット等のベース上に、洗面器が設置される。洗面器は、その奥側（パネル部が固定される壁側）の部分に、壁面に略平行に上向きに突出する壁状の部分であるバックガードを有する。このバックガード上において、水栓を支持するパネル部が、壁に固定された状態で設置される。そして、パネル部の上側には、一般的に鏡やキャビネット等の筐体が設置される。
【０００４】
このような壁付き水栓においては、水栓の交換や水栓部分のメンテナンス等が行われる際、台付き水栓とは違って、水栓が取り付けられるパネル部を壁から取り外す必要がある。すなわち、台付き水栓においては、水栓が設置される洗面器等の下側からの作業により、水栓の交換等を行うことができる。これに対し、壁付き水栓においては、水栓を支持するパネル部が壁に固定される構成のため、パネル部が壁に固定された状態のままでは水栓の交換等を行うことができず、水栓の交換等に際してパネル部を壁から取り外す必要がある。
【０００５】
そして、従来の壁付き水栓においては、水栓の交換等を行うに際してパネル部を壁から取り外すために、パネル部の上側に位置する鏡等の筐体を取り外したりずらしたりする必要がある。このようにパネル部を壁から取り外すために洗面器等についても取外し等が必要となることは、パネル部の壁に対する固定状態を安定させること等を目的として、パネル部がその上下に位置する洗面器や鏡等の筐体に対してオーバーラップする部分を有することに起因する。
【０００６】
すなわち、従来の壁付き水栓においては、壁に固定された状態のパネル部が、パネル部の下側に位置する洗面器およびパネル部の上側に位置する鏡等の筐体の少なくともいずれかとの関係において、オーバーラップする部分を有する。この場合、オーバーラップする部分としては、パネル部の方が奥側（裏側）に位置するように壁面に対して垂直方向に重なる部分となる。言い換えると、壁に固定された状態のパネル部が、洗面器やキャビネットによって奥側に対する手前側（表側）から覆われる部分を有する。なお、特許文献１には、水栓が取り付けられるパネル部に相当する部分が、バックガードを有する洗面器との関係においてオーバーラップする部分を有する構成が記載されている。
【０００７】
以上のように、従来の壁付き水栓においては、パネル部を壁から取り外すために、パネル部の下側に位置する洗面器やパネル部の上側に位置する鏡等の筐体についても取り外したりずらしたりする作業が必要となる。したがって、従来の壁付き水栓では、水栓の交換等を行うに際してパネル部を壁から取り外すために大がかりな作業が必要となる。
【先行技術文献】
【特許文献】
【０００８】
【特許文献１】特開平１０−１４７９４号公報
【発明の概要】
【発明が解決しようとする課題】
【０００９】
本発明は、上記のような問題点に鑑みてなされたものであり、その解決しようとする課題は、壁に固定されるパネル部に水栓本体が取り付けられる構成において、パネル部の下側に位置する洗面器やパネル部の上側に位置する鏡やキャビネット等の上部筐体の影響を受けることなく、簡単にパネル部を壁から取り外すことができ、水栓本体の交換やメンテナンス等に際しての作業性を向上させることができる壁付き水栓を提供することにある。
【課題を解決するための手段】
【００１０】
本発明の壁付き水栓は、水栓本体および該水栓本体の吐水口から吐出される水についての操作を行うための操作部が取り付けられ所定の壁面に対して固定されるパネル部と、前記吐水口から吐出される水を受ける洗面ボールを形成するとともに前記洗面ボールに対する前記壁面側の部分にて前記壁面に略平行に上向きに突出する壁状の部分であるバックガードを有し該バックガードの上側に前記パネル部を設置させる洗面器と、前記パネル部の上側に配置され鏡およびキャビネットの少なくともいずれかを有する上部筐体と、を備える壁付き水栓であって、前記パネル部は、前記壁面に固定される位置にある状態で、前記洗面器および前記上部筐体に対して、前記バックガードおよび前記上部筐体のそれぞれにおける前記壁面側にオーバーラップする部分を有しないように構成されているものである。このような構成により、壁に固定されるパネル部に水栓本体が取り付けられる構成において、パネル部の下側に位置する洗面器やパネル部の上側に位置する鏡やキャビネット等の上部筐体の影響を受けることなく、簡単にパネル部を壁から取り外すことができ、水栓本体の交換やメンテナンス等に際しての作業性を向上させることができる。
【００１１】
好ましくは、前記パネル部は、前記壁面に垂直な方向である奥手前方向の手前側に、該手前側より前記奥手前方向の奥側にかけて下る斜面を形成するとともに前記斜面により前記奥手前方向の寸法を他の部分よりも大きくする傾斜部を有し、前記水栓本体は、前記斜面から突出するように設けられ、前記パネル部を前記壁面に対して固定するための固定部が、前記傾斜部における、前記水栓本体および前記操作部に対して前記壁面に平行な水平方向について外側の位置に設けられている。このような構成により、パネル部の内部において水栓本体と操作部との間に位置する配管等に対してパネル部の固定部が干渉することを防止することができる。また、パネル部の固定部が壁付き水栓の表側から目線に入りにくくなるため、優れた意匠性が得られる。
【００１２】
また、好ましくは、前記水栓本体は、前記吐水口を形成する部分が前記吐水口に対して連通接続される給水用のホースを介して引出し可能に構成されるものであり、前記パネル部は、前記奥手前方向の奥側に開口し前記ホースが配される空間を形成するとともに、前記空間の開口の少なくとも前記水栓本体が設けられる部分を前記空間の開口において上下に架け渡された態様で覆う板状の部材であるホースカバーを有する。このような構成により、水栓本体の吐水口を形成する部分の引出し操作や戻し操作等にともなって動く給水用のホースが壁面に当たることで壁面が傷付くことを防止することができる。また、パネル部の剛性を向上させることができ、水栓本体の引出し操作等にともなう力が作用するパネル部が壁面から外れるといった現象を防止することができる。
【００１３】
また、好ましくは、前記パネル部は、前記壁面側における前記水栓本体および前記操作部よりも下方の位置に、少なくとも鉛直方向に見て前記水栓本体および前記操作部が設けられる範囲をカバーするトレイ状の部分である囲い部を有し、前記囲い部は、前記奥手前方向の手前側にかけて下る斜面として形成される底面と、該底面の周囲を囲む周壁面と、前記底面の傾斜方向下側に設けられ前記底面に開口するとともに前記底面上の空間を前記洗面ボールに対して連通させる孔部である水抜き孔とを有する。このような構成により、水栓本体の操作にともなって給水用のホースを伝ってパネル部の内部に浸入する水や、パネル部の裏側に生じる漏水等を表側の洗面ボールに導くことができる。また、パネル部の裏側に生じる漏水等が洗面ボールに導かれることから、パネル部の裏側において配管の接続不良等によって生じる漏水を速やかに検知することができ、漏水による被害の拡大を防止できる。
【００１４】
また、好ましくは、前記ホースカバーの前記奥手前方向の手前側の面の少なくとも下端の部分が、前記周壁面に対して前記奥手前方向の手前側に位置する。このような構成により、ホースカバーの手前側の面に付いた水等を、確実に囲い部によってとらえることができる。
【００１５】
また、好ましくは、前記固定部は、前記壁面に対する前記パネル部の固定を、前記傾斜部が有する前記斜面に対して前記奥手前方向の奥側の位置から行うために、前記傾斜部が有する前記斜面に開口する空間部を形成するものであり、前記空間部は、前記傾斜部が有する前記斜面に対して開口する側から、キャップ状の部材により塞がれる。このような構成により、パネル部を壁面に固定するためのビス等が壁付き水栓の使用者から見えることがなく、パネル部において優れた意匠性を得ることができる。
【００１６】
また、好ましくは、前記パネル部は、前記奥手前方向の手前側の面の下端における前記壁面に平行な水平方向の中間部に、前記奥手前方向の手前側から奥側にかけて下る傾斜面を形成するとともに、前記パネル部の前記奥手前方向の手前側の面および下側の面に対する凹部を形成する傾斜凹部を有する。このような構成により、例えば壁付き水栓の掃除の際に、シャワー等によって洗面ボールの奥側で下方から上方に向けて水がかけられた場合等、パネル部とのバックガードとの間から水が浸入しにくくなり、パネル部の裏側等が水で濡れることを防ぐことができる。また、パネル部の下端縁部にて生じる伝い水を洗面ボール内に落とすことができる。
【発明の効果】
【００１７】
本発明によれば、壁に固定されるパネル部に水栓本体が取り付けられる構成において、パネル部の下側に位置する洗面器やパネル部の上側に位置する鏡やキャビネット等の上部筐体の影響を受けることなく、簡単にパネル部を壁から取り外すことができ、水栓本体の交換やメンテナンス等に際しての作業性を向上させることができる。
【図面の簡単な説明】
【００１８】
【図１】本発明の一実施形態に係る壁付き水栓の全体構成を示す斜視図。
【図２】本発明の一実施形態に係る壁付き水栓の全体構成を示す側面図。
【図３】本発明の一実施形態に係る壁付き水栓の裏側を示す斜視図。
【図４】本発明の一実施形態に係る壁付き水栓の裏側を示す背面図。
【図５】パネル部の構造を示す側面断面図。
【図６】パネル部の構造を示す説明図。
【図７】パネル部の従来構造の一例を示す側面断面図。
【図８】パネル部の内部を示す側面一部断面図。
【図９】パネル部の構成を示す斜視図。
【図１０】囲い部等の構成を示す一部拡大斜視断面図。
【図１１】囲い部等の構成を示す一部拡大側面断面図
【図１２】パネル部の固定構造を示す分解斜視図。
【図１３】パネル部の固定構造を示す側面断面図。
【図１４】パネル部の固定構造を示す説明図。
【図１５】本発明の別実施形態に係るパネル部の構成を示す斜視図。
【図１６】本発明の別実施形態に係るパネル部の構成を示す正面図。
【図１７】本発明の別実施形態に係るパネル部の構成を示す一部拡大斜視断面図。
【図１８】本発明の別実施形態に係るパネル部の構成を示す一部拡大側面断面図。
【発明を実施するための形態】
【００１９】
本発明は、壁に固定されるとともに水栓が取り付けられる部分であるパネル部を備える構成において、パネル部の構成を工夫することにより、水栓の交換やメンテナンス等に際しての作業性の向上を図ろうとするものである。以下、本発明の実施の形態を説明する。
【００２０】
まず、図１〜図４を用いて、本実施形態に係る壁付き水栓１の全体構成について説明する。図１に示すように、壁付き水栓１は、所定の床面に据え付けられるキャビネット等のベース上にて所定の壁面Ｗ（図２参照）に対して設置されるものである。
【００２１】
壁付き水栓１は、水栓本体２および操作部３を有するパネル部４と、パネル部４の下側に設けられる洗面器５と、パネル部４の上側に設けられるミラーユニット６とを備える。つまり、壁付き水栓１においては、床面側から順に、洗面器５、パネル部４、ミラーユニット６が壁面Ｗに対して設置される。なお、壁付き水栓１においては、床面側に相当する側（図２における下側）が下であり、その反対側（同図における上側）が上である。
【００２２】
パネル部４は、壁付き水栓１において水栓本体２および操作部３を支持する部分である。水栓本体２は、水が吐出される吐水口７を有する。吐水口７は、シャワーへの切替え機能を有する。操作部３は、吐水口７から吐出される水の量や温度の調整等の操作を行うための部分である。操作部３は、回動操作可能なレバーハンドル３ａにより構成される。
【００２３】
パネル部４は、全体として略矩形厚板状の外形を有し、その一方の板面側に相当する側に、水栓本体２および操作部３が設けられる。パネル部４は、水栓本体２および操作部３が設けられる側（図２において左側、以下「表側」とする。）の反対側（同図における右側、以下「裏側」とする。）から、壁面Ｗに対して固定される。このように、本実施形態の壁付き水栓１においては、パネル部４は、水栓本体２および水栓本体２の吐水口７から吐出される水についての操作を行うための操作部３が取り付けられ壁面Ｗに対して固定される部分である。
【００２４】
洗面器５は、床面に据え付けられるキャビネット等のベース（図示略）上に設置される。洗面器５は、洗面ボール８とバックガード９とを有する。洗面ボール８は、吐水口７から吐出される水を受ける凹状面８ａを形成する部分であり、底面に排水口８ｂを有する。排水口８ｂには、図示せぬ排水管が接続される。バックガード９は、洗面ボール８に対する壁面Ｗ側（図２において右側）の部分にて壁面Ｗに略平行に上向きに突出する壁状の部分である。
【００２５】
バックガード９は、洗面ボール８において形成される凹状面８ａの壁面Ｗ側の面部に対して上側に連続する壁面である表壁面９ａと、壁面Ｗ側の面、つまり壁面Ｗに対向する側の壁面である裏壁面９ｂと、表壁面９ａおよび裏壁面９ｂの間において上側を向く端面として形成される上端面９ｃとを有する。上端面９ｃは、裏壁面９ｂから壁面９ａの方向に下るように傾斜している。なお、上端面９ｃは、傾斜することなく水平面として形成されてもよい。そして、洗面器５は、バックガード９の上側にパネル部４を設置させる。すなわち、パネル部４は、バックガード９に対して、上端面９ｃ上に設置された状態で、壁面Ｗに対して固定される。
【００２６】
ミラーユニット６は、略矩形厚板状の外形を有し、その板面が壁面Ｗに沿う姿勢で、パネル部４の上側に設けられる。具体的には、パネル部４は、壁面Ｗに対して固定された状態で上側を向くとともに壁面Ｗに対して略垂直となる面（略水平面）を形成する上端面部４ａを有する。そして、ミラーユニット６は、パネル部４の上端面部４ａ上に設置された状態で設けられる。なお、ミラーユニット６は、ビス留め等の適宜の方法で壁面Ｗに対して固定される。
【００２７】
ミラーユニット６は、壁面Ｗ側と反対側（図２において左側）の面（以下「表側面」という。）に、矩形状の鏡面１０を有する。鏡面１０は、ミラーユニット６の表側面に沿って設けられる矩形板状の鏡１１により形成される。また、ミラーユニット６の表側面には、照明部１２が設けられる。照明部１２は、鏡面１０の上側において、表側面における上辺部に沿って設けられる。
【００２８】
また、ミラーユニット６の表側面においては、鏡面１０に向かって右下側の部分に、照明部１２のスイッチや鏡面１０のくもり止めヒータ用のスイッチやプラグの差込み口等を有する電気操作部１３が設けられている。また、同じくミラーユニット６の表側面における鏡面１０に向かって左下側の部分には、引出し可能に構成される収納部１４が設けられている。
【００２９】
このように、本実施形態の壁付き水栓１においては、ミラーユニット６が、パネル部４の上側に配置され鏡１１を有する上部筐体である。なお、ミラーユニット６としては、キャビネットを構成するものであってもよい。つまり、パネル部４の上側に配置される上部筐体は、鏡およびキャビネットの少なくともいずれかを有するものとして構成される。
【００３０】
また、壁付き水栓１においては、水栓本体２の吐水口７から、調整された温度の湯水が得られる。このため、壁付き水栓１は、湯水混合部１５を有する。図３および図４に示すように、湯水混合部１５は、パネル部４において操作部３の裏側に設けられる。このため、パネル部４の裏側には、湯水混合部１５が設置される設置凹部２０が形成されている。設置凹部２０は、パネル部４の表側に貫通する孔部を形成する部分であり、操作部３に連結される湯水混合部１５を支持する。湯水混合部１５には、水を供給するための水用配管１６、および湯を供給するための湯用配管１７が、湯水混合部１５の給水ポートおよび給湯ポートに対して管継手を介してそれぞれ接続される。
【００３１】
水用配管１６および湯用配管１７は、例えば可撓性を有するホース等により構成される。水用配管１６には、上水等から導かれる水が供給され、湯用配管１７には、給湯器等により得られる湯が供給される。湯水混合部に接続される水用配管１６および湯用配管１７は、パネル部４の裏側から、洗面器５の壁面Ｗ側（裏側）に形成され上側に開口する開口凹部５ａから洗面器５の内部に配される。水用配管１６および湯用配管１７の湯水混合部１５に対して接続される側と反対側は、それぞれ止水栓に接続される。
【００３２】
湯水混合部１５は、水栓本体２の吐水口７から吐出される湯水についての温度および流量の調整、ならびに吐止水（湯水の流出・停止）の切換えを行うための機構を有する。こうした湯水混合部１５による湯水についての温度および流量の調整、ならびに吐止水の切換えは、操作部３のレバーハンドル３ａの操作によって行われる。つまり、湯水混合部１５は、レバーハンドル３ａの操作に連動して動作する。なお、湯水混合部１５としては、周知の構成のものが用いられるため、湯水混合部１５が有する機構についての詳細な説明は省略する。
【００３３】
湯水混合部１５によって得られた湯水は、ホース１８を介して水栓本体２に供給される。すなわち、ホース１８の一端側は、湯水混合部１５の吐出ポートに対して管継手を介して接続され、ホース１８の他端側は、水栓本体２の吐水口７に連通するように接続される。ホース１８は、湯水混合部１５から、パネル部４の内部に配されるとともに、パネル部４の裏側に開口する導入孔１９からパネル部４の表側に導かれ、水栓本体２に接続される（図４参照）。
【００３４】
本実施形態の壁付き水栓１においては、水栓本体２が、引出し可能なハンドシャワータイプの水栓として構成される。すなわち、水栓本体２は、吐水口７を形成する部分が吐水口７に対して連通接続される給水用のホース１８を介して引出し可能に構成される。具体的には、図１および図２に示すように、水栓本体２は、吐水口７を形成する部分であるヘッド部２１と、パネル部４の表側に取り付けられる基部２２とを有する。
【００３５】
ヘッド部２１は、基部２２に対して、吐水口７が洗面ボール８の凹状面８ａ側に臨むように位置決め支持される。基部２２は、導入孔１９に開口するとともにヘッド部２１側に開口する内部空間を形成する。ヘッド部２１と基部２２とは、ヘッド部２１が基部２２に位置決め支持された状態で、水栓本体２としての一体的な形態を形成する。そして、ホース１８の、吐水口７に連通するように接続される側の端部が、導入孔１９から基部２２の内部空間を介してヘッド部２１の内部通水路に接続される。
【００３６】
このような構成により、ヘッド部２１が、ホース１８を介して基部２２に対して引き出される。つまり、ヘッド部２１は、パネル部４の裏側に収納されるホース１８を連れ立って基部２２に対して引き出される。
【００３７】
ヘッド部２１の引出しにともなってパネル部４の内部から引き出されるホース１８は、パネル部４の内部に設けられる巻きバネ２３（図４参照）により、パネル部４の内部に収納された状態となるように付勢される。これにより、ヘッド部２１が引き出された状態から基部２２に対して装着された状態（位置決め支持された状態）になるまでの過程におけるホース１８のパネル部４内への収納が、巻きバネ２３による付勢力によって促される。
【００３８】
図４に示すように、巻きバネ２３は、その一端側がパネル部４側に設けられる係止部２４に対して係止される。また、バネ２３の他端側は、ホース１８に装着される環状の基部２５ａおよび基部２５ａの外周面から径方向外側に突出する係止部２５ｂを有する係止部材２５を介して、ホース１８に対して係止される。
【００３９】
以上のような構成を備える本実施形態の壁付き水栓１においては、パネル部４は、壁面Ｗに固定される位置（以下「壁面固定位置」という。）にある状態で、洗面器５およびミラーユニット６に対して、バックガード９およびミラーユニット６のそれぞれにおける壁面Ｗ側（図２において右側）に、壁面Ｗに垂直な方向（図２における左右方向）である奥手前方向にオーバーラップする部分を有しないように構成されている。
【００４０】
すなわち、パネル部４については、洗面器５が有するバックガード９の壁面Ｗ側（裏側）に、洗面器５に対して奥手前方向に重なる部分が存在しない。言い換えると、パネル部４は、洗面器５との関係において、バックガード９の壁面Ｗ側の面である裏壁面９ｂと壁面Ｗとの間に挟まれる部分を有することなく、洗面器５の上側に配置される。
【００４１】
本実施形態では、洗面器５に対して裏側において奥手前方向にオーバーラップする部分を有することなく設置されるパネル部４と、洗面器５とは、互いの合わせ面として、壁面Ｗに対して略垂直な面となる略水平面を有する。ここで、互いの合わせ面とは、互いに接触あるいは若干の間隔を隔てて対向する面である。具体的には、図５に示すように、パネル部４は、壁面固定位置にある状態で鉛直方向に見て下側を向く略水平面を形成する下端面部４ｂを有する。下端面部４ｂにおいて形成される、鉛直方向に見て下側を向く略水平面が、洗面器５に対する合わせ面となる。また、洗面器５は、パネル部４に対する合わせ面として、バックガード９において形成される、鉛直方向に見て上側を向く略水平面である上端面９ｃを有する。
【００４２】
また、ミラーユニット６に対して裏側において奥手前方向にオーバーラップする部分を有することなく設置されるパネル部４と、ミラーユニット６とも、互いの合わせ面として、壁面Ｗに対して略垂直な面となる略水平面を有する。すなわち、図５に示すように、パネル部４は、ミラーユニット６に対する合わせ面として、上端面部４ａにおいて形成される、鉛直方向に見て上側を向く略水平面を有する。また、ミラーユニット６は、パネル部４に対する合わせ面として、鉛直方向に見て下側を向く略水平面である下端面６ａを有する。
【００４３】
このように、パネル部４は、洗面器５およびミラーユニット６それぞれとの関係において、上下方向に対向する合わせ面を有するとともに、裏側において奥手前方向にオーバーラップする部分を有することなく、壁面Ｗに対して固定される。ここで、パネル部４の固定構造について説明する。
【００４４】
図５に示すように、パネル部４は、ビス２６が用いられることで壁面Ｗに固定される。つまり、ビス２６は、壁面固定位置にあるパネル部４を奥手前方向（略矩形厚板状の外形における板厚方向）に貫通するとともに壁面Ｗに対して略垂直方向にねじ込まれる。
【００４５】
パネル部４は、壁面Ｗにねじ込まれるビス２６を表側から裏側に向けて貫通させるとともに支持する部分として、筒状に形成されるボス部２７を有する。つまり、パネル部４は、ボス部２７の部分がビス２６によって壁面Ｗに固定されることで、壁面Ｗに対して支持される。パネル部４は、壁面固定位置にある状態で互いに略同じ高さとなる二箇所の位置にボス部２７を有する（図４参照）。ボス部２７は、壁面固定位置にあるパネル部４の上側の部分に設けられる。
【００４６】
ボス部２７は、パネル部４の内部において、パネル部４の表側の壁部である前壁部２８から奥手前方向の奥側（以下単に「奥側」という。）に向けて突出するように形成される。つまり、筒状のボス部２７は、その筒軸方向がビス２６の壁面Ｗに対するねじ込み方向となるように形成される。ボス部２７は、ビス２６を貫通させた状態で支持する部分であるビス支持部２７ａと、パネル部４の前壁部２８の表側面２８ａに開口する空間部３０を形成する部分である開口形成部２７ｂとを有する。
【００４７】
ビス支持部２７ａは、ビス２６を貫通させるビス孔２７ｃを形成する。ビス孔２７ｃは、ボス部２７の先端側の端面である先端面２７ｄに開口するとともに、開口形成部２７ｂの空間部３０に臨んで開口する。ボス部２７は、パネル部４が壁面固定位置にある状態で先端面２７ｄが壁面Ｗに略接触するように形成される。また、ビス支持部２７ａの外周面２７ｅは、奥側にかけて細くなるテーパ面として形成される。開口形成部２７ｂは、空間部３０を形成する面として、ビス孔２７ｃが開口するとともにビス２６のビス頭２６ａが接触する奥側面３１を有する。
【００４８】
このように、パネル部４は、上側の部分に設けられる二箇所のボス部２７においてビス２６によって壁面Ｗに対して固定される。つまり、本実施形態では、パネル部４は、二本のビス２６が用いられることで、壁面Ｗに対してビス固定される。
【００４９】
以上のような構成を備える本実施形態の壁付き水栓１によれば、壁に固定されるパネル部４に水栓本体２が取り付けられる構成において、パネル部４の下側に位置する洗面器５やパネル部４の上側に位置するミラーユニット６の影響を受けることなく、簡単にパネル部４を壁から取り外すことができる。これにより、水栓本体２の交換やメンテナンス等に際しての作業性を向上させることができる。
【００５０】
すなわち、仮に、パネル部４が、洗面器５およびミラーユニット６との関係において、裏側にて奥手前方向にオーバーラップする部分を有する状態で壁面Ｗに固定される場合、パネル部４を壁面Ｗから取り外すために、洗面器５やミラーユニット６を壁面Ｗから取り外す必要が生じる。
【００５１】
図７は、水栓本体を支持する部分であるパネル部１０４が、パネル部１０４の下側に設けられる洗面器１０５、およびパネル部１０４の上側に設けられるミラーユニット１０６に対して、裏側にて奥手前方向にオーバーラップする部分を有する場合の構成の一例を示す。図７に示すように、本構成例においては、パネル部１０４が、洗面器１０５との関係において、洗面器１０５が有するバックガード１０９と壁面Ｗとの間に挟まれる部分である下側突部１０４ａを有する。この下側突部１０４ａが、洗面器１０５との関係においてパネル部１０４が裏側にて奥手前方向にオーバーラップする部分である。
【００５２】
また、本構成例においては、パネル部１０４が、ミラーユニット１０６との関係において、ミラーユニット１０６と壁面Ｗとの間に挟まれる部分である上側突部１０４ｂを有する。この上側突部１０４ｂが、ミラーユニット１０６との関係においてパネル部１０４が裏側にて奥手前方向にオーバーラップする部分である。そして、本構成例においては、パネル部１０４は、上側突部１０４ｂの部分がビス１２６によって壁面Ｗに固定されることで、壁面Ｗに対して固定される。つまり、ビス１２６は、上側突部１０４ｂを貫通するとともに、壁面Ｗにねじ込まれる。
【００５３】
本構成例において、パネル部１０４が洗面器１０５およびミラーユニット１０６との関係においてオーバーラップする部分である下側突部１０４ａおよび上側突部１０４ｂを有することは、パネル部１０４の壁面Ｗに対するビス１２６による固定状態を安定させる。すなわち、パネル部１０４の洗面器１０５およびミラーユニット１０６に対するオーバーラップ部分は、洗面器１０５およびミラーユニット１０６によって表側から覆われる部分となる。このため、水栓本体の引出し操作等にともなう力が作用するパネル部１０４について、ビス１２６によって上側突部１０４ｂの部分が固定されることによる壁面Ｗに対する固定状態が安定する。
【００５４】
しかし、図７に示すようにパネル部１０４が洗面器１０５およびミラーユニット１０６との関係においてオーバーラップする部分を有する構成においては、オーバーラップする部分により、パネル部１０４を単体で壁面Ｗから取り外すことが妨げられる。本構成例においては、パネル部１０４を壁面Ｗから取り外すに際し、ビス１２６を外すために少なくともミラーユニット１０６を壁から取り外す必要が生じる。壁面Ｗに対して設置されている洗面器１０５やミラーユニット１０６を壁面Ｗから取り外すことは、パネル部１０４を壁面Ｗから取り外すことで行われる水栓本体の交換等に際しての作業性の低下を招く。
【００５５】
これに対し、本実施形態の壁付き水栓１は、パネル部４が裏側において洗面器５およびミラーユニット６に対して奥手前方向にオーバーラップする部分を有することなく構成される。このため、本実施形態の壁付き水栓１においては、洗面器５およびミラーユニット６の壁面Ｗに対する設置状態に影響を与えることなく、パネル部４を単体で壁面Ｗから取り外すことができる。
【００５６】
具体的には、図６に示すように、本実施形態の壁付き水栓１においては、パネル部４が壁面Ｗに固定されている状態（図５参照）から、パネル部４の表側から空間部３０を介してビス２６を壁面Ｗから取り外すことで、パネル部４を壁面Ｗから取り外すことができる。すなわち、パネル部４が壁面Ｗに固定された状態から、ビス２６を壁面Ｗから取り外すことで、壁面Ｗに設置されている状態の洗面器５とミラーユニット６との間から、パネル部４を奥手前方向の手前側（以下単に「手前側」という。）に引き出すことができる（矢印Ａ１参照）。
【００５７】
また、パネル部４を壁面Ｗに対して再度固定する場合は、壁面Ｗに設置されている状態の洗面器５とミラーユニット６との間においてパネル部４を壁面固定位置とした状態で、パネル部４の表側から空間部３０を介してビス２６を壁面Ｗにねじ込むことで、パネル部４が壁面Ｗに固定される。このようなパネル部４の壁面Ｗからの取外しおよび壁面Ｗに対する固定は、パネル部４と、洗面器５およびミラーユニット６それぞれとの間における互いの合わせ面をスライド面として行われる。このように、本実施形態の壁付き水栓１においては、パネル部４の壁面Ｗに対する着脱が、洗面器５およびミラーユニット６の設置状態に影響を与えることなくパネル部４単体で行われる。
【００５８】
また、本実施形態の壁付き水栓１においては、パネル部４は、壁面Ｗに対する固定部として、パネル部４の内部に形成されるとともにビス２６を支持するボス部２７を有する。これにより、パネル部４の壁面Ｗに対する固定部において、壁面Ｗにねじ込まれた状態のビス２６のビス頭２６ａと壁面Ｗとの間に挟まれる部分（以下「ビス挟持部分」という。）について、ビス２６のねじ込み方向（奥手前方向）の寸法Ｂ１（図５参照）を容易に確保することができる。
【００５９】
すなわち、例えば図７に示すように、パネル部１０４がミラーユニット１０６の裏側に存在するオーバーラップする部分（上側突部１０４ｂ）においてビス１２６により壁面Ｗに固定される場合、そのビス１２６により固定される部分（上側突部１０４ｂ）の形状が、ミラーユニット１０６の形状の影響を受ける。このため、ビス１２６の壁面Ｗにねじ込まれた状態のビス１２６のビス頭１２６ａと壁面Ｗとの間に挟まれる部分（ビス挟持部分）について、ビス１２６のねじ込み方向（奥手前方向）の寸法を確保することが困難である。したがって、図７に示すようなパネル部１０４の壁面Ｗに対する固定構造については、パネル部１０４が有する剛性との関係から、パネル部１０４単体では安定した固定状態を得ることが難しい。なぜならば、操作部３や吐水口７の操作にともなって作用する力の力点がパネル部１０４の前面にあるため、パネル部１０４の壁面Ｗへの固定点が壁面Ｗに近いほど、パネル部１０４の固定部が操作部３や吐水口７の操作によるモーメントの影響を受けやすくなるからである。
【００６０】
これに対し、本実施形態の壁付き水栓１においては、図５に示すように、パネル部４の壁面Ｗに対する固定部が、ボス部２７としてパネル部４の内部空間に形成される。このため、パネル部４の内部空間を利用することで、ビス挟持部分の寸法Ｂ１の確保が容易となる。したがって、パネル部１０４の壁面Ｗへの固定点を壁面Ｗから離れた位置にすることができるので、操作部３や吐水口７の操作にともなう力の力点とパネル部１０４の固定点とで作用する力の差が小さくなるため、パネル部１０４の固定部が操作部３や吐水口７の操作によるモーメントの影響を受けにくくなる。これにより、パネル部１０４の壁面Ｗに対する安定した固定状態が得られる。
【００６１】
具体的には、ボス部２７のビス支持部２７ａの奥手前方向の寸法を確保することで、ビス挟持部分の寸法Ｂ１が確保される。ビス挟持部分の寸法Ｂ１が長くなるほど、パネル部４が有する剛性との関係から、パネル部４の壁面Ｗに対する固定状態を安定させることができる。
【００６２】
このように、本実施形態の壁付き水栓１においては、パネル部４が洗面器５およびミラーユニット６との関係において裏側にて奥手前方向にオーバーラップする部分を有しなくても、パネル部４の壁面Ｗに対する固定強度を確保することができる。つまり、本実施形態の壁付き水栓１においては、パネル部４の壁面Ｗに対する安定した固定状態が得られるとともに、簡単にパネル部４を壁面Ｗから取り外すことができ、水栓本体２の交換やメンテナンス等に際しての作業性を向上させることができる。
【００６３】
以下では、本実施形態の壁付き水栓１が有する好ましい形態について説明する。本実施形態の壁付き水栓１においては、パネル部４が、手前側（図２において左側）より奥側（図２において右側）にかけて下る斜面４１を形成する傾斜部４０を有する。傾斜部４０は、パネル部４において手前側に設けられる。傾斜部４０は、斜面４１により奥手前方向（図２における左右方向）の寸法を他の部分よりも大きくする。
【００６４】
すなわち、本実施形態では、傾斜部４０は、パネル部４における上側の部分に設けられ、前記のとおり全体として略矩形厚板状の外形を有するパネル部４において、表側にて斜面４１に沿って板厚方向の寸法を上側にかけて大きくする。したがって、傾斜部４０は、パネル部４において、側面視（図２参照）で、上端かつ奥側の部分を直角部分とする略二等辺三角形状を有する。
【００６５】
このようにパネル部４が斜面４１を形成する傾斜部４０を有する構成において、水栓本体２が、斜面４１から突出するように設けられる。すなわち、図１および図２に示すように、水栓本体２は、パネル部４の前壁部２８において斜面４１を形成する部分に取り付けられた状態で表側に突出する。
【００６６】
具体的には、水栓本体２を構成する基部２２が、斜面４１に対して取り付けられた状態で設けられ、この基部２２に対して、ヘッド部２１が引出し可能に装着される。そして、前記のとおりヘッド部２１と基部２２とにより一体的な形態を有する水栓本体２は、その設置姿勢として、長手方向が斜面４１に沿うとともに手前側斜め上方向に突出する姿勢を有する（図２参照）。
【００６７】
このようにパネル部４において水栓本体２が傾斜部４０の斜面４１から突出するように設けられる構成において、パネル部４を壁面Ｗに対して固定するための固定部であるボス部２７が、傾斜部４０に設けられるとともに、壁面Ｗに平行な水平方向（図４における左右方向、以下単に「左右方向」という。）について、水栓本体２および操作部３よりも外側に位置する。つまり、本実施形態の壁付き水栓１においては、パネル部４の壁面Ｗに対する固定部であるボス部２７が、傾斜部４０における、水栓本体２および操作部３に対して左右方向について外側の位置に設けられている。
【００６８】
したがって、パネル部４において二箇所に設けられるボス部２７は、次のような配置で設けられる。すなわち、図４に示すように、壁付き水栓１の裏側から見て、一方のボス部２７は、パネル部４において左右方向における右側の部分に配置される水栓本体２よりも右側（矢印Ｃ１参照）の位置に設けられる。また、他方のボス部２７は、パネル部４において左右方向における左側の部分に配置される操作部３よりも左側（矢印Ｃ２参照）の位置に設けられる。つまり、本実施形態のパネル部４においては、二箇所のボス部２７が、水栓本体２および操作部３を含む部分を、左右方向において両側から挟む位置に設けられる。
【００６９】
このように、パネル部４の壁面Ｗに対する固定部であるボス部２７がパネル部４が有する傾斜部４０において水栓本体２および操作部３に対して左右方向の両外側に設けられることで、ビス２６によるパネル部４の固定部がパネル部４の裏側において水栓本体２と操作部３（湯水混合部１５）とを繋ぐホース１８の邪魔をすることがない。つまり、パネル部４の固定部であるボス部２７がホース１８に対して干渉することがない。これにより、パネル部４の内部において水栓本体２と操作部３との間に配されるホース１８について、パネル部４の内部における配管の経路やヘッド部２１の引出しにともなう動きの自由度が確保される。
【００７０】
また、パネル部４の固定部であるボス部２７が傾斜部４０に設けられることで、パネル部４のビス２６による固定部分が、壁付き水栓１の表側から目線に入りにくい。このため、意匠面でも優れた効果が得られる。
【００７１】
また、パネル部４の固定部であるボス部２７が傾斜部４０に設けられることで、ビス挟持部分の寸法Ｂ１（図５参照）の確保がより容易となる。つまり、傾斜部４０はパネル部４において奥手前方向の寸法を他の部分よりも大きくする部分であるため、ビス挟持部分となるボス部２７のビス支持部２７ａの奥手前方向の寸法の確保がより容易となる。これにより、パネル部４の壁面Ｗに対する固定状態の安定性を向上することができる。
【００７２】
したがって、例えば本実施形態のようにパネル部４に対して水栓本体２の引出し操作等にともなう力が作用する構成においても、パネル部４の剛性を十分に確保することができ、パネル部４の壁面Ｗに対する固定状態の安定化を図ることができる。なお、パネル部４においてボス部２７が設けられる数は、特に限定されるものではない。したがって、ボス部２７は、例えば三箇所以上に設けられてもよい。
【００７３】
また、図３、図４、図８および図９に示すように、本実施形態の壁付き水栓１においては、パネル部４における裏側の開口部の一部が、ホースカバー４３により覆われている。すなわち、本実施形態のパネル部４は、奥側（裏側）に開口しホース１８が配される空間４４を形成するとともに、この空間４４の開口の一部を覆うホースカバー４３を有する。
【００７４】
図９に示すように、パネル部４は、ミラーユニット６に対する合わせ面を形成する面部である上端面部４ａと、洗面器５に対する合わせ面を形成する面部である下端面部４ｂと、パネル部４の表側の面部である前壁部２８とに加え、左右方向の両側の面部として、互いに対向する側壁部４５を有する。したがって、パネル部４においては、上端面部４ａ、下端面部４ｂ、前壁部２８、および左右方向両側の側壁部４５によって箱状の本体が構成され、この本体において裏側に開口する空間４４が形成される。パネル部４の本体によって形成される空間４４の内部には、前述したようにパネル部４の裏側にて操作部３と水栓本体２と繋ぐホース１８が収容される（図８参照）。
【００７５】
ホースカバー４３は、パネル部４の本体によって形成される空間４４の開口の少なくとも水栓本体２が設けられる部分を覆う板状の部材である。本実施形態では、ホースカバー４３は、略矩形板状の部材であり、壁付き水栓１の裏側から見て（図３参照）パネル部４において左右方向における右側の部分に配置される水栓本体２が設けられる位置に対応して、中心から左右方向の一側（図３において右側）に寄った位置に設けられる。
【００７６】
ホースカバー４３は、略矩形状における略四隅に位置する部分に、パネル部４に対する固定部４３ａを有する。ホースカバー４３の固定部４３ａにおいては、ホースカバー４３をパネル部４に固定するためのネジ４６（図８参照）を貫通させるネジ孔が形成される。ホースカバー４３の上側の二箇所の固定部４３ａは、上端面部４ａに対して固定される。また、ホースカバー４３の下側の二箇所の固定部４３ａは、ホースカバー４３に形成されるボス４３ｂを介して前壁部２８に対して固定される。ここで、ホースカバー４３の下側の二箇所の固定部４３ａのうちの一方の固定部４３ａ（図４において右下の固定部４３ａ）に設けられるボス４３ｂは、前述したようにホース１８を付勢する巻きバネ２３の一端側が係止される係止部２４として機能する。
【００７７】
ホースカバー４３は、パネル部４が壁面固定位置にある状態で、外側（奥側）の平面状の板面である外側板面４３ｃが壁面Ｗに略接触するように構成される。また、略矩形板状のホースカバー４３においては、上側の二箇所の固定部４３ａを含む上辺部、および下側の二箇所の固定部４３ａを含む下辺部に、段差部４３ｄが設けられている。
【００７８】
ホースカバー４３の上下に形成される段差部４３ｄは、壁面Ｗに対して略平行となる板状のホースカバー４３において、他の部分よりも壁面Ｗに対して手前側に位置するように段差状に折り曲げ形成される部分である。したがって、段差部４３ｄは、外側板面４３ｃの一部を、ホースカバー４３がパネル部４に固定された状態で手前側に位置させる。段差部４３ｄは、ホースカバー４３の固定部４３ａに位置するネジ４６のネジ頭が外側板面４３ｃよりも外側（図８において右側）に突出しない程度の段差を有するように形成される。つまり、段差部４３ｄにより、固定部４３ａにおけるネジ４６のネジ頭の部分が外側板面４３ｃから突出することが防止される。
【００７９】
このように、パネル部４の本体においてホースカバー４３が設けられることにより、水栓本体２のヘッド部２１の引出し操作や引き出したヘッド部２１を戻す操作等にともなって動くホース１８が壁面Ｗに当たることで壁面Ｗが傷付くことを防止することができる。つまり、水栓本体２のヘッド部２１の操作にともなって動くホース１８は、ホースカバー４３の内側面４３ｆに当たることとなり、パネル部４が固定される壁面Ｗがホースカバー４３によってホース１８から保護される。
【００８０】
また、ホースカバー４３によって、パネル部４の本体の剛性を向上させることができる。すなわち、ホースカバー４３は、パネル部４の本体により形成される空間４４の開口において上下に架け渡された態様でパネル部４の上端面部４ａおよび前壁部２８の部分に対してネジ４６により固定される。このため、ホースカバー４３により、パネル部４の本体の裏側が略全面に開口していることによるパネル部４の剛性の低下を抑制することができる。このように、ホースカバー４３の影響によってパネル部４の全体としての剛性を向上させることができることから、水栓本体２の引出し操作等にともなう力が作用するパネル部４が壁面Ｗから外れるといった現象を防止することができる。
【００８１】
また、図９〜図１１に示すように、本実施形態の壁付き水栓１においては、パネル部４の下側の部分に、トレイ状の部分である囲い部５０が設けられている。囲い部５０は、パネル部４の本体を構成する下端面部４ｂの部分において形成される。つまり、囲い部５０は、下端面部４ｂの一部として、パネル部４の裏面側に突出するように形成される。また、囲い部５０は、左右方向について、水栓本体２および操作部３が設けられる部分を含むように形成される。このように、本実施形態のパネル部４は、壁面Ｗ側における水栓本体２および操作部３よりも下方の位置に、少なくとも鉛直方向に見て水栓本体２および操作部３が設けられる範囲をカバーするトレイ状の部分である囲い部５０を有する。
【００８２】
囲い部５０は、底板部５１と、この底板部５１の周囲に形成される側壁部５２とを有する。底板部５１は、下端面部４ｂの形状に沿って形成される部分であり、左右方向を長手方向とする略矩形板状の部分である。側壁部５２は、底板部５１の手前側（前壁部２８側）の辺部以外の三つの辺部に沿って底板部５１から上側に向けて突出する壁状の部分である。
【００８３】
囲い部５０は、手前側にかけて下る斜面として形成される底面５４を有する。底面５４は、底板部５１の上側の面として形成される。つまり、図１１に示すように、囲い部５０が有する底面５４は、底板部５１の上側においてパネル部４の裏側（図１１において右側）から表側（同図において左側）にかけて下る斜面を形成する。底面５４の傾斜角度は、例えば、パネル部４が壁面Ｗに固定された状態で、水平面に対して５°として設定される。ただし、底面５４の傾斜角度は限定されるものではない。
【００８４】
また、囲い部５０は、底面５４の周囲を囲む周壁面５５を有する。周壁面５５は、側壁部５２の内側の面として形成される。また、周壁面５５には、前壁部２８の裏側面２８ｂの一部が含まれる。つまり、図１１に示すように、囲い部５０が有する周壁面５５は、左右方向を長手方向とする略矩形状となる底面５４の周囲を略全体にわたって囲む壁面部分である。周壁面５５の高さ（底面５４から上側への突出高さ）方向の寸法は、底面５４の長手方向の寸法との比較において十分に小さい。
【００８５】
また、囲い部５０は、底面５４の傾斜方向下側に設けられ底面５４に開口するとともに底面５４上の空間を洗面ボール８に対して連通させる孔部である水抜き孔５６を有する。水抜き孔５６は、底板部５１を上下方向に貫通するように形成されることで、底面５４に開口する。水抜き孔５６は、底板部５１の前壁部２８に対する付け根部分に形成されることで、底面５４の傾斜方向下側（図１１において左側）に設けられる。本実施形態では、水抜き孔５６は、略矩形状の孔部であり、左右方向に略等間隔を隔てて三箇所に形成されている（図４および図９参照）。
【００８６】
図１０および図１１に示すように、水抜き孔５６は、底板部５１を貫通することで、底面５４上の空間（囲い部５０内の空間）を、前壁部２８の裏側面２８ｂとバックガード９の表壁面９ａとの間を介して洗面ボール８に連通させる。すなわち、底板部５１は、洗面器５のバックガード９上に設置されるパネル部４において、バックガード９の上端面９ｃに対して設置される部分に含まれる。また、バックガード９の上端部分は、前壁部２８の下端部によって表側（表壁面９ａ側）から覆われている。したがって、底面５４上の空間は、水抜き孔５６を介して、洗面ボール８の凹状面８ａから連続するバックガード９の表壁面９ａと、この表壁面９ａに対向する前壁部２８の裏側面２８ｂとの間に形成される空間を連通路として、洗面ボール８に連通する。
【００８７】
このような構成の囲い部５０によれば、底面５４上に落下したり前壁部２８の裏側面２８ｂやホースカバー４３の内側面４３ｆ等の周囲の壁面を伝って底面５４に落ちたりした水等（図１０、符号Ｗａ参照）がとらえられ、洗面ボール８に流れる（同図、矢印Ｄ１参照）。つまり、囲い部５０によりとらえられた水等は、底面５４の傾斜によって水抜き孔５６側に導かれ（図１１、矢印Ｅ１参照）、水抜き孔５６を通ってバックガード９の前側から洗面ボール８に流れ入る（同図、矢印Ｅ２参照）。つまり、水抜き孔５６は、囲い部５０における排水用の孔として機能する。
【００８８】
ここで、囲い部５０によりとらえられる水等としては、水栓本体２の引出し操作および戻し操作にともなってホース１８を伝ってパネル部４の裏側に浸入する水や、湯水混合部１５における水用配管１６、湯用配管１７、およびホース１８の接続部分からの漏水等が含まれる。このため、囲い部５０は、前記のとおり少なくとも鉛直方向に見て水栓本体２および操作部３が設けられる範囲をカバーするように設けられる。
【００８９】
また、囲い部５０とバックガード９との間には、底板部５１の下側の面とバックガード９の上端面９ｃとの間における手前側の部分に、発泡パッキン５７が介装されている。発泡パッキン５７は、例えば洗面器５の掃除の際等に、洗面ボール８側から前壁部２８とバックガード９との間に入り込む水や洗剤等がパネル部４とバックガード９との間（底板部５１の下側の面とバックガード９の上端面９ｃとの間）から壁面Ｗ側に流れ込むことを防止する。
【００９０】
以上のように、パネル部４が囲い部５０を有する構成においては、水栓本体２の操作にともなってホース１８を伝ってパネル部４の内部に浸入する水や、湯水混合部１５における配管の接続部分からの漏水等、パネル部４の裏側に生じる水等を表側の洗面ボール８に導くことができる。
【００９１】
また、湯水混合部１５における配管の接続部分からの漏水が洗面ボール８に導かれることで、壁付き水栓１の使用者により、壁付き水栓１の表側から、湯水混合部１５における配管の接続部分からの点滴漏水等の漏水が容易に検知される。これにより、パネル部４の裏側において配管の接続不良等によって生じる漏水を速やかに検知することができ、漏水による被害の拡大を防止できる。つまり、囲い部５０は、パネル部４の裏側で生じる漏水の検知機能を果たす。
【００９２】
また、パネル部４の裏側で生じた水等を表側に導くための囲い部５０が、パネル部４において前壁部２８によって覆われた裏側の部分に設けられる。このため、囲い部５０によってパネル部４の意匠性が損なわれることがない。
【００９３】
なお、本実施形態では、囲い部５０において略矩形状の水抜き孔５６が三箇所に形成されているが、水抜き孔５６の形状・大きさ・個数等は、特に限定されるものではない。また、囲い部５０が有する底面５４の傾斜方向には、左右方向の傾斜が含まれてもよい。つまり、囲い部５０は、囲い部５０内の水等が底面５４の傾斜によって水抜き孔５６の部分に導かれて洗面ボール８に流れるような構成であれば、その形状等は特に限定されない。
【００９４】
また、図１０および図１１に示すように、ホースカバー４３と囲い部５０との関係において、ホースカバー４３の手前側の面の少なくとも下端の部分が、囲い部５０の周壁面５５に対して手前側に位置する。本実施形態では、ホースカバー４３は、前述したように下端部に段差部４３ｄを有する。段差部４３ｄは、ホースカバー４３の下端部が側面視でクランク状に形成されることで設けられ、ホースカバー４３の下端部を部分的に手前側に位置させる。
【００９５】
ホースカバー４３が下端部に段差部４３ｄを有することにより、ホースカバー４３の下端部が、囲い部５０の側壁部５２よりも手前側（図１１において左側）に位置する。これにより、奥手前方向について、ホースカバー４３の手前側の面である内側面４３ｆの下端側の部分、つまり内側面４３ｆの下側の段差部４３ｄの部分の位置（図１１、符号Ｆ１参照）が、囲い部５０の周壁面５５の位置（同図、符号Ｆ２参照）よりも手前側に位置する。
【００９６】
このように、ホースカバー４３の内側面４３ｆの下端の部分が囲い部５０の周壁面５５に対して手前側に位置することにより、ホースカバー４３の内側面４３ｆに付いた水等を、確実に囲い部５０によってとらえることができる。すなわち、例えば水栓本体２の操作にともなってホース１８からホースカバー４３の内側面４３ｆに水が当たる場合がある。この場合、内側面４３ｆを伝って水が落ちることとなるが、内側面４３ｆの下端部が周壁面５５よりも手前側に位置するため、内側面４３ｆを伝って落ちる水等が、確実に底面５４上に落ち、囲い部５０によってとらえられる。
【００９７】
また、図１、図１２〜図１４に示すように、本実施形態の壁付き水栓１においては、パネル部４の固定部であるボス部２７によって形成される空間部３０が、キャップ状の部材である化粧キャップ６０により塞がれる。すなわち、パネル部４の固定部であるボス部２７は、壁面Ｗに対するパネル部４の固定を、パネル部４の傾斜部４０が有する斜面４１に対して奥側の位置から行うために、傾斜部４０が有する斜面４１に開口する空間部３０を形成するものである。そして、空間部３０は、傾斜部４０が有する斜面４１に対して開口する側（図１３において左側）から、化粧キャップ６０により塞がれる。
【００９８】
空間部３０は、前記のとおりボス部２７の開口形成部２７ｂにより形成される。具体的には、空間部３０は、パネル部４を壁面Ｗに固定するためのビス２６のビス頭２６ａが接触する奥側面３１と、左右方向に対向する一対の側面３２と、上側の面である天井面３３と、天井面３３に対向する下側の面である底面３４とにより形成される。つまり、両側の側面３２、天井面３３、および底面３４により、斜面４１に対する空間部３０の開口部３０ａが、空間部３０における手前側に形成される。空間部３０は、奥手前方向視で略矩形状を有する。
【００９９】
空間部３０の斜面４１に対する開口側からは、ビス２６がビス孔２７ｃを介して壁面Ｗにねじ込まれることにより、パネル部４が壁面Ｗに固定される。これにより、壁面Ｗに対するパネル部４の固定が、斜面４１よりも奥側（図１３において右側）の位置から行われる。そして、ビス２６によって壁面Ｗに固定された状態のパネル部４の空間部３０に、化粧キャップ６０が嵌め込まれる。
【０１００】
化粧キャップ６０は、空間部３０の形状に嵌め込まれる部分である本体部６１と、この本体部６１の一側に形成される化粧板部６２とを有する。本体部６１は、空間部３０を形成する各面部に対応する形状を有する。したがって、本体部６１は、化粧キャップ６０が空間部３０に装着された状態において空間部３０を形成する両側の側面３２、天井面３３、および底面３４に対して略接触した状態となる。
【０１０１】
化粧板部６２は、化粧キャップ６０が空間部３０に装着された状態において、開口部３０ａに嵌合した状態で斜面４１と面一となる化粧面６３を形成する部分である。したがって、化粧板部６２は、空間部３０の開口部３０ａの形状に対応する形状を有する。本実施形態では、化粧板部６２は、空間部３０の開口部３０ａの形状に対応して略矩形板状に形成される。
【０１０２】
また、本実施形態では、空間部３０に対する化粧キャップ６０の装着をガイドするための形状部分として、空間部３０を形成する両側の側面３２にレール溝３５が形成され、化粧キャップ６０の本体部６１に係合突部６５が形成されている。レール溝３５は、側面３２において、奥手前方向（図１３における左右方向）に略平行に形成される直線状の凹部である。係合突部６５は、化粧キャップ６０の本体部６１における左右両側の面部（側面３２に対応する面部）において、化粧キャップ６０の空間部３０に対する着脱方向（図１３における左右方向）に沿って形成される直線状の突起部分である。空間部３０に装着される化粧キャップ６０の係合突部６５がレール溝３５に嵌った状態となることで、化粧キャップ６０の空間部３０に対する装着状態を保持するための作用が得られる。
【０１０３】
また、化粧キャップ６０の本体部６１における下面側には、化粧キャップ６０の空間部３０に対する装着過程における最終的な嵌合状態を得るための係止突起６６が形成されている。係止突起６６は、空間部３０を形成する底面３４に当接することで、空間部３０に装着された状態の化粧キャップ６０について空間部３０に対する保持力を生じさせる。
【０１０４】
このように、化粧キャップ６０は、レール溝３５に係合する係合突部６５、および底面３４に当接する係止突起６６により、空間部３０に対する装着状態が保持される。これにより、化粧キャップ６０が空間部３０から抜け落ちることが防止される。
【０１０５】
また、空間部３０を形成する底面３４は、奥側より手前側（空間部３０の開口端側）にかけて下る斜面として形成される。これにより、空間部３０内に浸入した水や洗剤等が空間部３０内に滞留することが防止される。つまり、空間部３０内に浸入した水や洗剤等は、底面３４によって空間部３０の出口側（開口部３０ａ側）に流れ、化粧キャップ６０と空間部３０の開口部３０ａとの間の隙間から流れ出る。
【０１０６】
このため、化粧キャップ６０においては、化粧板部６２の部分に、係止凹部６７が形成されている。係止凹部６７は、化粧板部６２の下端部に形成される切欠き部分である。係止凹部６７により、化粧キャップ６０が空間部３０に装着された状態において、空間部３０の開口部３０ａと化粧キャップ６０との間に隙間６８が形成される（図１３、図１４（ｂ）参照）。係止凹部６７により形成される隙間６８が、斜面として形成される底面３４によって空間部３０内に浸入した水や洗剤等が空間部３０から流れ出る際の出口となる。
【０１０７】
なお、底面３４の傾斜角度は、例えば、パネル部４が壁面Ｗに固定された状態で、水平面に対して５°として設定される。ただし、空間部３０を形成する底面３４においては、化粧キャップ６０の係止突起６６の当接を受ける部分として、略水平面として形成される当接面３４ａが設けられる（図１３参照）。これにより、係止突起６６による化粧キャップ６０の空間部３０に対する保持作用が確実に得られる。また、係止凹部６７により開口部３０ａとの間に形成される隙間６８は、空間部３０に装着された状態の化粧キャップ６０を空間部３０から取り外す際の係止部として用いられる。つまり、隙間６８に工具等が差し込まれることで、化粧キャップ６０が空間部３０から取り外される。
【０１０８】
以上のような構成を有する化粧キャップ６０が、ビス２６によって壁面Ｗに固定された状態のパネル部４における空間部３０に対して装着される。すなわち、図１４（ａ）に示すように、化粧キャップ６０は、本体部６１側から、空間部３０に対して、奥手前方向に沿って奥側に向けて差し込まれる（矢印Ｇ１参照）。空間部３０に差し込まれた化粧キャップ６０は、係合突部６５を介してレール溝３５によりガイドされながらスライドして空間部３０に嵌め込まれる。そして、図１４（ｂ）に示すように、化粧キャップ６０は、係合突部６５および係止突起６６によって空間部３０に対する保持力を得るとともに化粧面６３を傾斜部４０の斜面４１に揃わせた状態で、空間部３０に装着される。
【０１０９】
このように、パネル部４の壁面Ｗに対する固定部において形成される空間部３０が化粧キャップ６０によって塞がれることで、表側に開口する空間部３０内に臨むビス２６のビス頭２６ａが隠された状態となる。これにより、パネル部４を壁面Ｗに固定するためのビス２６のビス頭２６ａが、壁付き水栓１の使用者から見えることがなく、パネル部４において優れた意匠性を得ることができる。
【０１１０】
また、化粧キャップ６０は、その内部の空間を利用することで、小物入れとして用いられてもよい。すなわち、図１３に示すように、化粧キャップ６０は、空間部３０に装着された状態で奥側に開口する空間６９を形成する。この化粧キャップ６０によって形成される空間６９が、小物の収容空間として用いられる。化粧キャップ６０が小物入れとして用いられる場合、例えばメガネやコンタクトケース等の収容が想定される小物の大きさに応じて、化粧キャップ６０および空間部３０が相当程度の大きさに形成される。
【０１１１】
このように、化粧キャップ６０は、パネル部４の固定部におけるビス隠しと小物入れを兼用することができる。また、化粧キャップ６０が装着される空間部３０についても、相当程度の大きさを確保することで、小物入れとして用いることができる。化粧キャップ６０や空間部３０が小物入れとして利用されることで、パネル部４の固定部において生じるデッドスペースを有効活用することができる。
【０１１２】
本発明の別実施形態について、図１５〜図１８を用いて説明する。なお、上述した実施形態と共通する部分については、同一の符号を用いる等して説明を省略する。本実施形態に係る壁付き水栓１は、パネル部４が傾斜凹部７０を有する点で、前述した実施形態と異なる。
【０１１３】
図１５〜図１８に示すように、本実施形態に係るパネル部４は、前壁部２８において傾斜凹部７０を有する。傾斜凹部７０は、パネル部４の手前側の面である表側面２８ａの下端における左右方向の中間部に設けられる。本実施形態では、傾斜凹部７０は、左右方向について中央部分に設けられている。傾斜凹部７０は、手前側から奥側にかけて下る傾斜面７１を形成するとともに、パネル部４の表側面２８ａおよび下側の面である下端面２８ｃに対する凹部を形成する。本実施形態では、傾斜凹部７０は、パネル部４の前壁部２８の下端部が傾斜面７１を形成するように部分的に凹むようにして形成される。
【０１１４】
具体的には、傾斜凹部７０が有する傾斜面７１は、パネル部４を構成する前壁部２８の下端部が奥側に折り曲げ形成されることによって、前壁部２８の表側面２８ａの一部により形成される。つまり、傾斜面７１は、壁面Ｗと略平行な面として形成される表側面２８ａを基準とすると、上側から下側にかけて下る斜面として形成される。
【０１１５】
また、本実施形態に係るパネル部４は、壁面Ｗと略平行な前壁部２８の表側面２８ａの下端から、奥側に向けて水平方向に形成される下端面２８ｃを有する（図１８参照）。つまり、下端面２８ｃは、表側面２８ａに対して略直角に形成される底面である。そして、傾斜凹部７０は、表側面２８ａおよび下端面２８ｃそれぞれに対して凹部となるように形成される。
【０１１６】
したがって、傾斜凹部７０は、傾斜面７１の左右方向の両端側に、表側面２８ａおよび下端面２８ｃのそれぞれを、傾斜面７１に対して滑らかに連続させる曲面部分である凹曲面部７２を有する。傾斜凹部７０において傾斜面７１を形成する部分は、パネル部４において表側面２８ａと下端面２８ｃとにより形成される略直角の角部分が左右方向について部分的に面取りされたような形状を有する。このため、凹曲面部７２は、側面視において、傾斜面７１を斜辺とする略直角三角形状となる（図１８参照）。
【０１１７】
図１７および図１８に示すように、本実施形態のパネル部４においては、壁面Ｗと略平行な前壁部２８が、左右方向について部分的に奥側に折れ曲がった折曲部２８ｄを下端部に有することで、傾斜面７１が形成される。折曲部２８ｄは、パネル部４の裏側に設けられる囲い部５０の下側に位置する。詳細には、折曲部２８ｄが前壁部２８において壁面Ｗと略平行な部分に対して折れ曲がる起点の部分の高さ位置は、パネル部４において囲い部５０の底板部５１が設けられる高さ位置と略一致する。前壁部２８は、傾斜凹部７０の部分において、折曲部２８ｄが奥側に折れ曲がる分、バックガード９（の表壁面９ａ）との間の隙間を狭くする。
【０１１８】
以上のように、パネル部４が傾斜凹部７０を有することにより、例えば壁付き水栓１の掃除の際に、シャワー等によって洗面ボール８の奥側で前壁部２８の下方から上方に向けて水がかけられた場合等、パネル部４の前壁部２８と洗面器５のバックガード９との間から水が浸入しにくくなる。つまり、傾斜凹部７０が有する傾斜面７１により、前壁部２８とバックガード９との間の隙間が狭くなるので、壁付き水栓１の掃除等の際にシャワー等から噴出する水や、洗面ボール８の表面等で跳ねた水等が、前壁部２８の下方から前壁部２８とバックガード９との間に入ることを抑制することができる。これにより、パネル部４の前壁部２８の裏側面２８ｂやバックガード９の上端部分等が水で濡れることを防ぐことができる。
【０１１９】
特に、前述したようにパネル部４が囲い部５０を有する構成においては、前述したように囲い部５０によってとらえた水を水抜き孔５６を介して洗面ボール８に導くため、バックガード９の前側にはパネル部４（前壁部２８）との間に隙間を設ける必要がある。一方で、このようなバックガード９と前壁部２８との間の隙間が広いと、パネル部４の下方からの水が浸入しやすくなる。
【０１２０】
そこで、パネル部４が傾斜凹部７０を有することにより、前壁部２８とバックガード９との間の隙間が狭くなり、傾斜面７１を形成する前壁部２８の折曲部２８ｄによって囲い部５０の水抜き孔５６が下側から覆われる。言い換えると、パネル部４が傾斜凹部７０を有することにより、パネル部４の下方から前壁部２８とバックガード９との間を介して囲い部５０の水抜き孔５６が直接見えなくなる。これにより、壁付き水栓１の掃除等の際に水が下方からかけられても、前壁部２８とバックガード９との間から、囲い部５０の排水用の孔である水抜き孔５６を介して、囲い部５０内に水が浸入することを防止することができる。一方で、傾斜凹部７０を構成する折曲部２８ｄの先端とバックガード９の表壁面９ａとの間には隙間が確保される。このため、囲い部５０から水抜き孔５６を介して洗面ボール８に導かれる水の流れは妨げられることがない。
【０１２１】
つまり、パネル部４が傾斜凹部７０を有することにより、囲い部５０から水抜き孔５６を介する洗面ボール８への水の排出経路は確保されながら、水抜き孔５６を介して下方から浸入する水によって前壁部２８の裏側面２８ｂ等のパネル部４の裏側の部分を濡らすことがなくなる。
【０１２２】
また、パネル部４の前壁部２８にかかった水は、前壁部２８の表側面２８ａ等を伝って下方に流れ、前壁部２８の下端縁部にて表面張力によって一旦溜まった後、前壁部２８の下端縁部を伝って左右方向に移動する伝い水となる場合がある。こうした伝い水が生じた場合、本実施形態に係るパネル部４によれば、傾斜凹部７０を有することで、伝い水を洗面ボール８内に落とすことができる。
【０１２３】
具体的には、パネル部４の傾斜凹部７０の部分に生じた伝い水は、左右方向に移動した結果、傾斜面７１の左右両側に存在する凹曲面部７２に達する。凹曲面部７２に達した伝い水は、凹曲面部７２を伝って下方に落下し、洗面ボール８により受けられる（図１６、矢印Ｈ１、Ｈ２参照）。
【０１２４】
パネル部４の前壁部２８の下端部において左右方向の中間部に形成される傾斜凹部７０の左右両側には、前壁部２８において壁面Ｗと略平行な部分であって鉛直方向に沿う平面部分が存在する。つまり、傾斜凹部７０の凹曲面部７２は、前壁部２８の下端部において、左右方向について、傾斜面７１を形成する部分とその左右両側の平面部分との間の境目の部分となる。したがって、凹曲面部７２は、左右方向について前壁部２８の下端部の形状が変化する部分である。
【０１２５】
このように、傾斜凹部７０を形成する凹曲面部７２が、左右方向について前壁部２８の下端部の形状が変化する境目の部分として存在することにより、凹曲面部７２の部分で伝い水の流れを途切れさせることができるという縁切り効果が得られる。つまり、傾斜凹部７０において傾斜面７１を形成する部分に生じた伝い水は、前壁部２８の下端部を左右方向に伝って凹曲面部７２に達することで、縁切り効果により、洗面ボール８上に落下する。
【０１２６】
仮に、パネル部４の前壁部２８の下端部において左右方向について形状変化がない場合、前壁部２８の下端部に生じた伝い水は、縁切りされることなく、前壁部２８の左右両端に達して落下する。この場合、前壁部２８の下端部に生じた伝い水が洗面ボール８にとらえられることなく洗面ボール８の左右外側から床面に落下する可能性がある。そこで、パネル部４が傾斜凹部７０を有することにより、傾斜面７１を形成する部分の左右両側の凹曲面部７２の部分で縁切り効果が得られ、前壁部２８の下端部に生じた伝い水を確実に洗面ボール８内に落とすことができる。
【０１２７】
なお、傾斜凹部７０を設ける位置や数等は、本実施形態に限定されない。本実施形態では、傾斜凹部７０は、前壁部２８の下端部における左右方向の中央部分に設けられているが、これに限定されず、傾斜凹部７０は、左右方向について、前壁部２８の下端部における左右の両端部を除く中間部に設けられればよい。したがって、例えば、傾斜凹部７０は、前壁部２８の左右方向の中間部において、左右方向について適宜の間隔を隔てて複数箇所に設けられてもよい。
【０１２８】
傾斜凹部７０は、前述したように下方から囲い部５０の水抜き孔５６を介して水が浸入することを防止する観点からは、左右方向について少なくとも水抜き孔５６が設けられる部分を含む範囲で設けられることが好ましい。また、傾斜凹部７０は、前述したように前壁部２８の下端部に生じる伝い水を洗面ボール８内に落とす観点からは、左右方向について少なくとも洗面ボール８の凹状面８ａが形成される範囲で設けられることが好ましい。本実施形態では、傾斜凹部７０は、例えば、左右方向について囲い部５０が設けられる範囲と略一致する範囲で設けられる。
【符号の説明】
【０１２９】
１      壁付き水栓
２      水栓本体
３      操作部
４      パネル部
４ａ    上端面部
４ｂ    下端面部
５      洗面器
６      ミラーユニット（上部筐体）
６ａ    下端面
７      吐水口
８      洗面ボール
９      バックガード
９ｃ    上端面
１８    ホース
２１    ヘッド部
２７    ボス部（固定部）
２８    前壁部
３０    空間部
４０    傾斜部
４１    斜面
４３    ホースカバー
４３ｆ  内側面
４４    空間
５０    囲い部
５４    底面
５５    周壁面
５６    水抜き孔
６０    化粧キャップ
７０    傾斜凹部
７１    傾斜面
７２    凹曲面部
Ｗ      壁面
【図１】
0005593764.tif 000002
【図２】
0005593764.tif 000003
【図３】
0005593764.tif 000004
【図４】
0005593764.tif 000005
【図５】
0005593764.tif 000006
【図６】
0005593764.tif 000007
【図７】
0005593764.tif 000008
【図８】
0005593764.tif 000009
【図９】
0005593764.tif 000010
【図１０】
0005593764.tif 000011
【図１１】
0005593764.tif 000012
【図１２】
0005593764.tif 000013
【図１３】
0005593764.tif 000014
【図１４】
0005593764.tif 000015
【図１５】
0005593764.tif 000016
【図１６】
0005593764.tif 000017
【図１７】
0005593764.tif 000018
【図１８】
0005593764.tif 000019